(57)【要約】【課題】本発明は、ＩＰマルチメディアサブシステム基盤のＶｏＩＰサービス(Ｖｏｉｃｅ  Ｏｖｅｒ  ＩＰ)を提供することに関する。【解決手段】本発明には、一つの端末機を利用して、室内では、ＶｏＩＰゲートウェイ(Voice over IP Gateway)を利用して、ＩＰマルチメディアサブシステムに連結し、室外では、ＩＥＥＥ８０２.１６システムを介して前記ＩＰマルチメディアサブシステムに連結することにより、端末に割り当てられた一つの電話番号でＶｏＩＰサービスが可能だという長所がある。【選択図】図７
2007028618.tif 000002
【特許請求の範囲】
【請求項１】
室内ではＶｏＩＰゲートウェイと連動し、室外では広帯域無線接続通信システムと連動して、ＩＰマルチメディアサブシステム基盤のＶｏＩＰサービスを提供されるための端末機において、
室内で前記ＶｏＩＰゲートウェイと無線電話信号を交換するための無線電話信号処理部と、
前記広帯域無線接続通信システムを介して前記ＩＰマルチメディアサブシステムとの間で交換されるＳＩＰ(Session Initiation Protocol)メッセージを処理するためのＳＩＰメッセージ処理部と、
室外で前記広帯域無線接続通信システムと通信するための広帯域無線接続通信システム処理部と、
を含むことを特徴とする装置。
【請求項２】
音声データを圧縮及び解除するためのボコーダー処理部をさらに含むことを特徴とする請求項１に記載の装置。
【請求項３】
前記無線電話信号処理部が前記ＶｏＩＰゲートウェイから無線電話信号を受信した場合、前記ＳＩＰメッセージ処理部と前記広帯域無線接続通信システム処理部を駆動しないことを特徴とする請求項１に記載の装置。
【請求項４】
前記無線電話信号処理部が前記ＶｏＩＰゲートウェイから無線電話信号を受信しなかった場合、前記ＳＩＰメッセージ処理部と前記広帯域無線接続通信システム処理部を駆動することを特徴とする請求項１に記載の装置。
【請求項５】
室内に設けられ、ＩＰマルチメディアサブシステムと連動して、使用者端末にＶｏＩＰサービスを提供するためのＶｏＩＰゲートウェイにおいて、
前記使用者端末と無線電話信号を利用して連動する無線電話信号処理部と、
前記無線電話信号処理部とＳＩＰメッセージ処理部を連動させるインターワーキング機能部と、
前記ＩＰマルチメディアサブシステムに接続するための前記ＳＩＰメッセージ処理部と、
を含むことを特徴とする装置。
【請求項６】
音声データを圧縮及び解除するためのボコーダー処理部をさらに含むことを特徴とする請求項５に記載の装置。
【請求項７】
前記インターワーキング機能部は、使用者端末が無線電話信号を利用して送信したＤＴＭＦ(Dual Tone Multi Frequency)信号と音声信号を、該当ＳＩＰメッセージに変換し、受信された前記ＳＩＰメッセージを該当無線電話信号に変換することを特徴とする請求項５に記載の装置。
【請求項８】
前記ＳＩＰメッセージ処理部は、ＳＩＰクライアントとして動作することを特徴とする請求項５に記載の装置。
【請求項９】
室内ではＶｏＩＰゲートウェイと連動し、室外では広帯域無線接続通信システムと連動して、ＩＰマルチメディアサブシステム基盤のＶｏＩＰサービスを提供する端末機の通信方法において、
室内の場合、前記ＶｏＩＰゲートウェイと無線電話信号を利用して、ＩＰマルチメディアサブシステム基盤のＶｏＩＰサービスを提供される段階と、
室外の場合、前記広帯域無線接続通信システムを介して、前記ＩＰマルチメディアサブシステム基盤のＶｏＩＰサービスを提供される段階と、
を含むことを特徴とする方法。
【請求項１０】
室内ではＶｏＩＰゲートウェイと連動し、室外では広帯域無線接続通信システムと連動して、ＩＰマルチメディアサブシステム基盤のＶｏＩＰサービスを提供される端末機の通信方法において、
前記ＶｏＩＰゲートウェイから無線電話信号が受信されるかを検査する段階と、
前記無線電話信号が受信されたら、前記ＶｏＩＰゲートウェイと無線電話信号で通信して、ＩＰマルチメディアサブシステム基盤のＶｏＩＰサービスを提供される段階と、
前記無線電話信号が受信されなかった場合、前記広帯域無線接続通信システムと通信して、前記ＩＰマルチメディアサブシステム基盤のＶｏＩＰサービスを提供される段階と、
を含むことを特徴とする方法。
【請求項１１】
端末が、室内ではＶｏＩＰゲートウェイと連動し、室外では広帯域無線接続通信システムと連動する場合、室内でＩＰマルチメディアサブシステム基盤のＶｏＩＰサービスを提供されるために、ＶｏＩＰゲートウェイが使用者端末を登録する方法において、
前記使用者端末の無線電話信号を感知するとき、登録メッセージをＩＰマルチメディアサブシステムの呼制御サーバーに伝送する段階と、
前記呼制御サーバーから前記登録メッセージに対する成功メッセージ受信を待機する段階と、
前記成功メッセージの受信時、セッションを設定し、前記無線電話信号の確認信号を端末に伝送する段階と、
を含むことを特徴とする方法。
【請求項１２】
前記登録メッセージは、ＳＩＰ登録メッセージ(ＳＩＰ  ＲＥＧＩＳＴＥＲ)であることを特徴とする請求項１１に記載の方法。
【請求項１３】
前記呼制御サーバーは、ＩＰマルチメディアサブシステムのＳ−ＣＳＣＦ(Serving - Call Stateful Control Function)であることを特徴とする請求項１１に記載の方法。
【請求項１４】
前記成功メッセージは、ＳＩＰ成功メッセージ(ＳＩＰ  ２００  ＯＫ)であることを特徴とする請求項１１に記載の方法。
【請求項１５】
端末が、室内ではＶｏＩＰゲートウェイと連動し、室外では広帯域無線接続通信システムと連動する場合、室外でＩＰマルチメディアサブシステム基盤のＶｏＩＰサービスを提供されるために、室外で登録する方法において、
前記使用者端末がＩＰマルチメディアサブシステムに接続するために、広帯域無線接続通信システムに連結する段階と、
前記広帯域無線接続通信システムと連結した後、登録メッセージをＩＰマルチメディアサブシステムの呼制御サーバーに伝送する段階と、
前記呼制御サーバーから前記登録メッセージに対する成功メッセージ受信を待機する段階と、
前記成功メッセージの受信時、セッションを設定する段階と、
を含むことを特徴とする方法。
【請求項１６】
端末が、室内ではＶｏＩＰゲートウェイと連動し、室外では広帯域無線接続通信システムと連動する場合、室内でＩＰマルチメディアサブシステム基盤のＶｏＩＰサービスを提供されるために発信する方法において、
前記端末が前記ＶｏＩＰゲートウェイに無線電話発信信号を伝送する段階と、
前記ＶｏＩＰゲートウェイが前記発信信号の受信時、ＩＰマルチでメディアサブシステムの呼制御サーバーにセッション設定要請メッセージを伝送する段階と、
前記呼制御サーバーが、前記セッション設定要請メッセージに対する成功メッセージを前記ＶｏＩＰゲートウェイに伝送する段階と、
前記ＶｏＩＰゲートウェイが、前記成功メッセージに対する応答メッセージを前記呼制御サーバーに伝送して、セッションを設定する段階と、
前記ＶｏＩＰゲートウェイが、前記セッション設定の後、前記端末に前記無線電話発信信号に対する確認信号を伝送する段階と、
を含むことを特徴とする方法。
【請求項１７】
前記セッション設定要請メッセージは、ＳＩＰセッション設定要請メッセージ(ＳＩＰ  ＩＮＶＩＴＥ)であることを特徴とする請求項１６に記載の方法。
【請求項１８】
前記応答メッセージは、ＳＩＰ応答メッセージ(ＳＩＰ  ＡＣＫ)であることを特徴とする請求項１６に記載の方法。
【請求項１９】
端末が、室内ではＶｏＩＰゲートウェイと連動し、室外では広帯域無線接続通信システムと連動する場合、室外でＩＰマルチメディアサブシステム基盤のＶｏＩＰサービスを提供されるために発信する方法において、
前記端末がＩＰマルチメディアサブシステムの呼制御サーバーにセッション設定要請メッセージを伝送する段階と、
前記呼制御サーバーから前記セッション設定要請メッセージに対する成功メッセージ受信を待機する段階と、
前記成功メッセージ受信時、セッションを設定し、応答メッセージを呼制御サーバーに伝送する段階と、
を含むことを特徴とする方法。
【請求項２０】
端末が、室内ではＶｏＩＰゲートウェイと連動し、室外では広帯域無線接続通信システムと連動する場合、室内でＩＰマルチメディアサブシステム基盤のＶｏＩＰサービスを提供されるために着信する方法において、
ＩＰマルチメディアサブシステムの呼制御サーバーが、ＶｏＩＰゲートウェイにセッション設定メッセージを伝送する段階と、
前記ＶｏＩＰゲートウェイが前記セッション設定メッセージ受信時、前記端末に無線電話着信信号を伝送する段階と、
前記端末が無線電話着信信号を受信時、無線電話確認信号をＶｏＩＰゲートウェイに伝送する段階と、
前記ＶｏＩＰゲートウェイが前記無線電話確認信号を受信時、前記セッション設定要請メッセージに対する成功メッセージを呼制御サーバーに伝送する段階と、
前記呼制御サーバーが前記成功メッセージを受信時、前記セッション設定の後、前記成功メッセージに対する応答メッセージをＶｏＩＰゲートウェイに伝送する段階と、
を含むことを特徴とする方法。
【請求項２１】
端末が、室内ではＶｏＩＰゲートウェイと連動し、室外では広帯域無線接続通信システムと連動する場合、室外でアイドル(Idle Mode)モードでない場合、ＩＰマルチメディアサブシステム基盤のＶｏＩＰサービスを提供されるために着信する方法において、
ＩＰマルチメディアサブシステムの呼制御サーバーが、前記端末にセッション設定メッセージを伝送する段階と、
前記端末が前記セッション設定メッセージを受信時、成功メッセージを呼制御サーバーに伝送する段階と、
前記呼制御サーバーが前記成功メッセージを受信時、前記セッション設定の後、前記端末に応答メッセージを伝送する段階と、
を含むことを特徴とする方法。
【請求項２２】
端末が、室内ではＶｏＩＰゲートウェイと連動し、室外では広帯域無線接続通信システムと連動する場合、室外でアイドル(Idle Mode)モードである場合、ＩＰマルチメディアサブシステム基盤のＶｏＩＰサービスを提供されるために着信する方法において、
ＩＰマルチメディアサブシステムの呼制御サーバーが、ＲＡＳ/ＡＣＲにセッション設定メッセージを伝送する段階と、
前記ＲＡＳ/ＡＣＲが前記セッション設定メッセージを受信し、前記端末にＰＡＧ−ＡＤＶ(Paging Advertisement)メッセージを伝送する段階と、
前記端末がＰＡＧ−ＡＤＶメッセージを受信時、広帯域無線接続通信システムに連結する段階と、
前記ＲＡＳ/ＡＣＲは、端末が広帯域無線接続通信システムに連結されてから、端末に前記セッション設定メッセージを伝送する段階と、
前記端末が前記セッション設定メッセージを受信時、成功メッセージを呼制御サーバーに伝送する段階と、
前記呼制御サーバーが前記成功メッセージを受信時、前記セッション設定の後、前記端末に応答メッセージを伝送する段階と、
を含むことを特徴とする方法。
【請求項２３】
前記ＰＡＧ−ＡＤＶメッセージは、広帯域無線接続通信システムのＰＡＧ−ＡＤＶメッセージであることを特徴とする請求項２２に記載の方法。
【発明の詳細な説明】
【技術分野】
【０００１】
本発明は、ＩＰマルチメディアサブシステム基盤のＶｏＩＰサービス提供のための装置及び方法に関し、特にＩＥＥＥ８０２.１６システムと無線電話またはＤＥＣＴ(Digital European Cordless Telecommunications)統合環境におけるＩＰマルチメディアサブシステム基盤のＶｏＩＰサービス提供装置及び方法に関する。前記ＩＥＥＥ８０２.１６システムは広帯域無線接続通信システムである。
【背景技術】
【０００２】
既存の異種網間の融合型音声サービス(通称、one-phoneサービス)を提供する形態には、無線電話/セルラー(cellular)を利用する構造と、ブルートゥース(bluetooth)/セルラーを利用する構造がある。
【０００３】
前記構造は、無線電話が可能な範囲では公衆電話交換網(ＰＳＴＮ：Public Switched Telephone Network)基盤の音声サービスを、そしてセルラー網では移動電話交換機(ＭＳＣ：Mobile Switching Center)基盤の音声サービスを端末に提供する。既存に提供していた異種網間の融合型音声サービスは、回線交換基盤のサービスであって、公衆電話交換網とセルラー網にそれぞれ割り当てられた二つの電話番号を通じて、発/着信サービスを提供する形態なので、異なる網を介してサービスが行われる。したがって、それぞれの事業者間の料金精算、サービス提供などにおいて、多くの問題点があって、活性化が困難だという問題点がある。
【発明の開示】
【発明が解決しようとする課題】
【０００４】
前記の問題点を解決するための本発明の目的は、ＩＰマルチメディアサブシステム基盤のひとつの電話番号を利用するＶｏＩＰサービス提供のための装置及び方法を提供することにある。
【０００５】
前記の問題点を解決するための本発明の他の目的は、ＩＥＥＥ８０２.１６システムと無線電話統合環境におけるＩＰマルチメディアサブシステム基盤のＶｏＩＰサービス提供のための装置及び方法を提供することにある。
【課題を解決するための手段】
【０００６】
前記の目的を達成するための本発明の装置は、端末機において、室内では、ＶｏＩＰゲートウェイと連動し、室外では、ＩＥＥＥ８０２.１６システムと連動して、ＩＰマルチメディアサブシステム基盤のＶｏＩＰサービスを提供されるために、室内で前記ＶｏＩＰゲートウェイと無線電話信号を交換するための無線電話信号処理部と、前記ＩＥＥＥ８０２.１６システムを介して前記ＩＰマルチメディアサブシステムと交換されるＳＩＰ(Session Initiation Protocol)メッセージを処理するためのＳＩＰメッセージ処理部と、室外で前記ＩＥＥＥ８０２.１６システムと通信するための広帯域通信部と、を含むことを特徴とする。
【０００７】
前記の目的を達成するための本発明の他の装置は、ＶｏＩＰゲートウェイにおいて、室内では、前記使用者端末の無線電話信号と連動して、前記ＩＰマルチメディアサブシステムと接続するＶｏＩＰゲートウェイを提供することを特徴とする。
【０００８】
前記の目的を達成するための本発明の方法は、端末機の通信方法において、室内ではＶｏＩＰゲートウェイと連動し、室外ではＩＥＥＥ８０２.１６システムと連動して、ＩＰマルチメディアサブシステム基盤のＶｏＩＰサービスを提供されるために、室内の場合、前記ＶｏＩＰゲートウェイと無線電話信号を交換して、前記ＶｏＩＰゲートウェイを介して、ＩＰマルチメディアサブシステム基盤のＶｏＩＰサービスを提供される段階と、室外の場合、前記ＩＥＥＥ８０２.１６システムを介して、前記ＩＰマルチメディアサブシステム基盤のＶｏＩＰサービスを提供される段階と、を含むことを特徴とする。
【０００９】
前記の目的を達成するための本発明の他の方法は、端末機の通信方法において、室内ではＶｏＩＰゲートウェイと連動し、室外ではＩＥＥＥ８０２.１６システムと連動して、ＩＰマルチメディアサブシステム基盤のＶｏＩＰサービスを提供されるために、前記ＶｏＩＰゲートウェイから無線電話信号が受信されるかを検査する段階と、前記無線電話信号が受信されたら、前記ＶｏＩＰゲートウェイと無線電話信号で通信して、ＩＰマルチメディアサブシステム基盤のＶｏＩＰサービスを提供される段階と、前記無線電話信号が受信されなかったら、前記ＩＥＥＥ８０２.１６システムと通信して、前記ＩＰマルチメディアサブシステム基盤のＶｏＩＰサービスを提供される段階と、を含むことを特徴とする。
【００１０】
その他に、本発明の目的を達成するため、前記の実施例の変更または、構成要素の追加などが可能である。
【発明の効果】
【００１１】
本発明は、ＩＰマルチメディアサブシステム基盤のＶｏＩＰサービスを提供するにおいて、室内では、使用者端末がＶｏＩＰゲートウェイの無線電話信号と連動して、ＩＰマルチメディアサブシステムと接続し、室外では、端末がＩＥＥＥ８０２.１６システムを利用して、ＩＰマルチメディアサブシステムと接続するので、二つの電話番号を必要とするone-phoneサービスに比べて、端末に割り当てられた一つの電話番号でサービスが可能だという長所がある。
【発明を実施するための最良の形態】
【００１２】
添付図面を参照して、本発明の好ましい実施例を詳細に説明する。本発明の説明において、関連の公知技術、または構成に対する具体的な説明が本発明の要旨を不要に不明確にするおそれがあると判断される場合には、その詳細な説明を省略する。
【００１３】
以下、本発明の装置及び方法を説明するために、ＩＰマルチメディアサブシステムについて説明する。
【００１４】
ＩＰマルチメディアサブシステムは、３ＧＰＰ(Generation Partnership Project)リリース５で紹介されたセッション開示プロトコル(ＳＩＰ：Session Initiation Protocol)基盤のマルチメディアサービスを提供するための網構造である。
【００１５】
図１は、通常のＩＰマルチメディアサブシステムを構成する網エンティティ(entity)を図示した図面である。
図１を参照すると、呼状態(ＣＳ：Call Stateful)を支援するために、ＣＳＣＦ(Call Stateful Control Function)が導入された。ＣＳＣＦは、一般有線ＳＩＰサーバーとは違って、常用通信システムに適用するために呼状態機能、ＱｏＳ (Quality of Service)、課金、保安機能を担当する。
【００１６】
ＩＰマルチメディアサブシステムで、ＰＳ(Packet switched)形態の連結と通信を可能とするために、端末(ＵＥ：User Equipment)１２０は、ＳＧＳＮ(Serving GPRS Support Node)１１８とＧＧＳＮ(Gateway GPRS Support Node)１１４を利用して、ＰＤＰ(Packet data Protocol)コンテキスト１１６を活性化して、ＧＧＳＮ１１４からＩＰアドレスを割り当てられる。ＳＧＳＮ１１８は、使用者端末１２０が伝送または受信するパケットを伝達する。
【００１７】
ＧＧＳＮ１１４は、ＧＧＳＮ１１４から外部に伝送する、または外部から受信するパケットを適切なＰＤＰ形式に変え、ＰＤＰアドレス(ここでは、ＩＰアドレス)を割り当てる。使用者端末１２０は、ＧＧＳＮ１１４からＩＰアドレスを割り当てられてから、パケット通信をすることができる。
【００１８】
使用者端末１２０は、セッションを始めたりセッションの要請を受けるために、ＩＰマルチメディアサブシステムの核心網１３０に属するホーム網１００に登録する。使用者端末１２０が外部網１１０にローミング中の状況を仮定すれば、使用者端末１２０が現在のＰ(Proxy)−ＣＳＣＦ１１２を通して登録を要請したら、Ｐ−ＣＳＣＦ１１２は、ホーム網１００の進入点であるＩ(Interrogating)−ＣＳＣＦ１０６を探して、ホーム網のＳ(Serving)−ＣＳＣＦ１０４にＳＩＰ登録メッセージ(ＳＩＰ  REGISTER)を伝送する。Ｓ−ＣＳＣＦ１０４は、ＨＳＳ(Home Subscriber Server)１０２から端末の情報を得る。ＨＳＳ１０２は、自分の情報及び端末の情報を提供する網エンティティである。ＭＧＣＦ(Media Gateway Control Function)１０８は、公衆電話交換網との連動のために必要な網エンティティである。使用者端末１２０がホーム網１００にある状況を仮定すれば、使用者端末１２０は、ホーム網１００のＳ−ＣＳＣＦ１０４にＳＩＰ登録メッセージを伝送する。
【００１９】
以下、本発明の装置及び方法を説明するために、ＩＥＥＥ８０２.１６システムについて説明する。
【００２０】
図２は、通常のＩＥＥＥ８０２.１６システムの構成を図示した図面である。
【００２１】
図２を参照すると、ＩＥＥＥ８０２.１６システムの構想要素には、接続網(ＡＮ：Access Network)２０２と移動端末(ＭＳ：Mobile Station)２１２がある。以下、移動端末２１２を端末２１２と称する。
【００２２】
接続網２０２は、ＩＥＥＥ８０２.１６システム規格による無線接続を提供し、構成要素には、端末２１２に無線通信サービスを提供する無線接続機器(ＲＡＳ：Radio Access Station)と、多数のＲＡＳ２０６〜２１０をＩＰ網で整合し、外部網に対してルーターとして動作して、外部網と端末２１２間の情報を送受信する接続制御ルーター(ＡＣＲ：Access Control Router)２０４とがある。
【００２３】
図３は、本発明の実施例に係るＩＰマルチメディアサブシステム基盤のＶｏＩＰサービスを提供する網を図示した図面である。
【００２４】
図３を参照すると、網は、無線電話技術とＩＥＥＥ８０２.１６システム技術を同時に支援し、ＳＩＰ機能を具現した端末３０６、３０８のうち端末３０６が無線電話として使用されるとき、ＩＰマルチメディアサブシステムに接続して、ＶｏＩＰサージスを提供するためのＶｏＩＰゲートウェイ３０２と、端末３０８のＩＥＥＥ８０２.１６システム接続のためのＩＥＥＥ８０２.１６システム接近網２０２、と、ＩＰマルチメディアサブシステム核心網１３０と、を含んで構成される。図３において、ＶｏＩＰゲートウェイ３０２は、端末３０６が室内にある場合、ＩＰマルチメディアサブシステムに直接接続する網エンティティであって、ＩＰマルチメディアサブシステムのＳＩＰクライアントとしても動作する。ＶｏＩＰゲートウェイ３０２は、図１で説明した端末１２０と同一な役割をする。
【００２５】
図４は、本発明の実施例に係るＶｏＩＰゲートウェイの構造を図示した図面である。
【００２６】
図４を参照すると、無線電話信号処理部４００は、使用者端末と通信するとき使用する無線電話信号の処理を担当する。
【００２７】
インターワーキング(interworking)機能部４０４は、使用者端末が送信したＤＴＭＦ(Dual Tone Multi Frequency)信号と音声信号を該当ＳＩＰメッセージに変換し、受信されたＳＩＰメッセージを該当無線電話信号に変換する。
【００２８】
ＳＩＰメッセージ処理部４０２は、ＩＰマルチメディアサブシステムＳＩＰクライアントとして動作する。
【００２９】
ボコーダー(vocoder)処理部４０６は、コーデック変換機能を有する。
【００３０】
無線電話信号処理部４００は、使用者端末の無線電話信号が受信されたら、インターワーキング機能部４０４を駆動し、ＳＩＰメッセージ処理部４０２を介してＩＰマルチメディアサブシステムＳ−ＣＳＣＦ１０４に登録をする。
【００３１】
図５は、本発明の実施例に係るＶｏＩＰゲートウェイの内部処理の流れを図示したフローチャートである。
【００３２】
図５を参照すると、段階５１０で、ＶｏＩＰゲートウェイは、端末が送信した無線電話信号を感知したら、段階５２０でインターワーキング機能部を、そして段階５３０でＳＩＰメッセージ処理部を駆動して、Ｓ−ＣＳＣＦに登録し、通信準備をする。
【００３３】
図６は、本発明の実施例に係る端末の構造を図示した図面である。
【００３４】
図６を参照すると、無線電話信号処理部６００は、ＶｏＩＰゲートウェイと通信ときに使用する無線電話信号の処理を担当する。
【００３５】
ＳＩＰメッセージ処理部６０２は、室外でＩＥＥＥ８０２.１６システムと連動時に、ＩＰマルチメディアサブシステムのＳＩＰクライアントとして動作する。
【００３６】
ＩＥＥＥ８０２.１６システム処理部６０４、外部ＩＥＥＥ８０２.１６システムとの連動機能を担当する。
【００３７】
ボコーダー処理部６０６は、コーデック変換機能をする。そして、位置登録、発信、着信は、標準ＩＰマルチメディアサブシステム規格に従う。そして、ＶｏＩＰゲートウェイとの間に無線電話信号を送受信するときに、ＩＥＥＥ８０２.１６システム処理部６０４とＳＩＰメッセージ処理部６０２は動作しない。無線電話信号処理部６００は、ＶｏＩＰゲートウェイとの無線電話信号を利用する通信が不可能な場合、ＩＥＥＥ８０２.１６システム処理部６０４を駆動する。ＩＥＥＥ８０２.１６システム処理部６０４は、ＳＩＰメッセージ処理部６０２を介して、ＩＰマルチメディアサブシステムのＳ−ＣＳＣＦサーバーに登録をする。
【００３８】
図７は、本発明の実施例に係る端末の内部処理の流れを図示したフローチャートである。
【００３９】
図７を参照すると、段階７１０で、まず電源が入ってから、端末は無線電話信号を探す。無線電話信号が感知されたら、段階７２０で、端末は無線電話信号処理部を駆動して、無線電話モードで通信の準備をする。段階７１０で、無線電話信号が感知されなかったら、端末が室外にあると判断し、段階７３０で、ＩＥＥＥ８０２.１６システム処理部を駆動し、段階７４０でＳＩＰメッセージ処理部を駆動して、Ｓ−ＣＳＣＦに登録し、通信の準備をする。
【００４０】
図８は、本発明の実施例に係る端末が室内で登録する過程を図示した図面である。
【００４１】
図８を参照すると、端末３０６が室内にある場合、段階８１０で、無線電話信号処理部４００は無線電話信号を感知して、ＳＩＰクライアントの機能を駆動する。ＶｏＩＰゲートウェイ３０２内のＳＩＰメッセージ処理部４０２は、段階８２０で、ＩＰマルチメディアサブシステム網のＳ−ＣＳＣＦ１０４にＳＩＰ登録メッセージを伝送して、端末の現在位置を登録する。ＳＩＰ登録メッセージを受信したＳ−ＣＳＣＦ１０４は、登録メッセージを検査して成功的な場合、段階８３０で、成功メッセージＳＩＰ  ２００  ＯＫをＶｏＩＰゲートウェイ３０２に伝送し、これを受信したＶｏＩＰゲートウェイ３０２は、段階８４０で、確認メッセージＡＣＫを端末３０６に送信する。
【００４２】
図９は、本発明の実施例に係る端末が室外でＩＥＥＥ８０２.１６システムを利用して登録する過程を図示した図面である。
【００４３】
図９を参照すると、端末３０８が外部に移動したら、もう無線電話信号を受信できなくなり、端末３０８の無線電話信号処理部６００は動作しない。以降、段階９０２で、ＩＥＥＥ８０２.１６システムに接続するための連結手順を行う。
【００４４】
段階９０２で、ＩＥＥＥ８０２.１６システムの連結手順は以下の通りになる。
【００４５】
ＲＮＧ(Ranging)は、端末３０８が網に進入するとき行われ、上向きデータ伝送タイミングを補正し、端末の周波数、電力などの値を調節するための過程である。
【００４６】
ＳＢＣ(SS Basic Capabilities)は、端末３０８の物理的パラメーター及び認証政策情報をＲＡＳと交換する過程である。
【００４７】
ＰＫＭ(Privacy Key Management)は、端末３０８と基地局との間に、マック(MAC)メッセージ認証及びトラフィック暗号化のために必要なキー(Key)情報を交換し、端末認証及び加入者認証を行う過程である。
【００４８】
ＲＥＧ(Registration)は、端末３０８が自分のＳＦ(Service Flow)及びＩＰＣＳ(Convergence Sublayer)関連可能性(Capability)情報、移動情報、ＡＲＱ(Automatic ReQuest)パラメーターなどの登録情報をＡＣＲ２０４と交換する過程である。
【００４９】
ＤＳＡ(Dynamic Service Addition)は、端末３０８とＲＡＳ２０６〜２１０間の新しい連結を設定するために、伝送ＣＩＤ(Connection ID)を割り当てられる手順及び該当連結に対するＳＦ(Service Flow)及びＩＰＣＳ(Convergence Sublayer)情報を交換する過程である。
【００５０】
端末３０８とＡＣＲ/ＲＡＳ２０４、２０６〜２１０間の連結が設定されたら、段階９０４で、端末３０８内ＳＩＰメッセージ処理部６０２は、ＩＰマルチメディアサブシステム網のＳ−ＣＳＣＦ１０４にＳＩＰ登録メッセージを伝送して、端末３０８を登録する。
【００５１】
登録メッセージを受信したＳ−ＣＳＣＦ１０４は、登録メッセージを検査して成功的な場合、段階９０６で、成功メッセージＳＩＰ  ２００  ＯＫを端末３０８に送る。
【００５２】
図１０は、本発明の実施例に係る端末が室内で発信する過程を図示した図面である。
【００５３】
図１０を参照すると、端末３０６が室内で無線電話信号を介して発信をしたら、段階１００２で、ＶｏＩＰゲートウェイ３０２は無線電話信号を感知して、ＳＩＰメッセージ処理部４０２を駆動する。ＶｏＩＰサービスゲートワイ３０２内ＳＩＰメッセージ処理部４０２は、段階１００４で、ＩＰマルチメディアサブシステム網のＳ−ＣＳＣＦ１０４にＳＩＰ  ＩＮＶＩＴＥメッセージを伝送して、発信過程を行う。ＳＩＰ  ＩＮＶＩＴＥメッセージは、ＳＩＰメッセージのうち発信時に使用されるメッセージである。
【００５４】
ＳＩＰ登録メッセージを受信したＳ−ＣＳＣＦ１０４は、登録メッセージを検査して成功的な場合、段階１００６で、成功メッセージＳＩＰ  ２００  ＯＫをＶｏＩＰゲートウェイ３０２に送信し、これを受信したＶｏＩＰゲートウェイ３０２は、段階１００８で、確認メッセージＡＣＫを端末3０6に送信し、段階１０１０で、Ｓ−ＣＳＣＦ１０４にも確認メッセージＳＩＰ  ＡＣＫを送信する。
【００５５】
図１１は、本発明の実施例に係る端末が室外でＩＥＥＥ８０２.１６システムを利用して発信する過程を図示した図面である。
【００５６】
図１１を参照すると、端末３０８内ＳＩＰメッセージ処理部６０２は、段階１１０２で、ＩＰマルチメディアサブシステム網のＳ−ＣＳＣＦ１０４にＳＩＰ  ＩＮＶＩＴＥメッセージを伝送して、発信過程を行う。
【００５７】
ＳＩＰ登録メッセージを受信したＳ−ＣＳＣＦ１０４は、登録メッセージを検査して成功的な場合、段階１１０４で、成功メッセージＳＩＰ  ２００  ＯＫを端末３０８に送信し、これを受信した端末３０８は、段階１１０８で、ＳＩＰ確認メッセージＳＩＰ  ＡＣＫをＳ−ＣＳＣＦ１０４に送信する。
【００５８】
図１２は、本発明の実施例に係る端末が室内で着信する過程を図示した図面である。
【００５９】
図１２を参照すると、段階１２０２で、ＶｏＩＰゲートウェイ３０２がＳＩＰ  ＩＮＶＩＴＥメッセージを受信したら、インターワーキング機能部４０４は、ＳＩＰで無線電話信号に信号変換を行う。ＶｏＩＰゲートウェイ３０２は、段階１２０４で、無線電話信号処理部４００を介して端末３０６に着信信号を伝送する。着信信号を受信した端末３０６は、段階１２０６で、相応する確認信号ＡＣＫを送信し、確認信号を受信したＶｏＩＰゲートウェイ３０２は、段階１２０８で、確認信号をＳＩＰの成功メッセージＳＩＰ  ２００  ＯＫに変換して、Ｓ−ＣＳＣＦ１０４に伝送する。ＳＩＰの成功信号を受信したＳ−ＣＳＣＦ１０４は、段階１２１０で、ＳＩＰ確認メッセージＳＩＰ  ＡＣＫをＶｏＩＰゲートウェイ３０２に送信する。
【００６０】
図１３は、本発明の実施例に係る端末が室外でＩＥＥＥ８０２.１６システムを利用して、アイドル(ＩＤＬＥ)モードでない場合、着信する過程を図示した図面である。
【００６１】
図１３を参照すると、段階１３０２で、ＳＩＰのＩＮＶＩＴＥメッセージを受信した端末３０８は、段階１３０４で、ＳＩＰ成功メッセージＳＩＰ  ２００  ＯＫをＳ−ＣＳＣＦ１０４に伝送する。ＳＩＰの成功メッセージを受信したＳ−ＣＳＣＦ１０４は、段階１３０６で、ＳＩＰ確認メッセージＳＩＰ  ＡＣＫを端末３０８に送信する。
【００６２】
図１４は、本発明の実施例に係る端末が室外でＩＥＥＥ８０２.１６システムを利用して、アイドル(ＩＤＬＥ)モードである場合、着信する過程を図示した図面である。
【００６３】
図１４を参照すると、段階１４０２で、アイドル状態で端末３０８のＳＩＰ  ＩＮＶＩＴＥメッセージを受信したＡＣＲ/ＲＡＳ２０４、２０６〜２１０は、段階１４０４で、端末３０８にＰＡＧ−ＡＤＶ(Paging Advertisement)メッセージを伝送して、端末３０８を活性状態にしてから、段階１４０６で、ＩＥＥＥ８０２.１６システム連結をする。その後、ＡＣＲ/ＲＡＳ２０４、２０６〜２１０は、受信したＳＩＰ  ＩＮＶＩＴＥメッセージを段階１４０８で端末３０８に伝送する。段階１４０８で、ＳＩＰのＩＮＶＩＴＥメッセージを受信した端末３０８は、段階１４１０で、ＳＩＰ成功メッセージＳＩＰ  ２００  ＯＫをＳ−ＣＳＣＦ１０４に伝送する。ＳＩＰの成功メッセージを受信したＳ−ＣＳＣＦ１０４は、段階１４１２で、ＳＩＰ確認メッセージＳＩＰ  ＡＣＫを端末３０８に伝送する。
【図面の簡単な説明】
【００６４】
【図１】通常のＩＰマルチメディアサブシステムを構成する網エンティティを図示した図面である。
【図２】通常のＩＥＥＥ８０２.１６システムの構成を図示した図面である。
【図３】本発明の実施例に係るＩＰマルチメディアサブシステム基盤のＶｏＩＰサービスを提供する網を図示した図面である。
【図４】本発明の実施例に係るＶｏＩＰゲートウェイの構造を図示した図面である。
【図５】本発明の実施例に係るＶｏＩＰゲートウェイの内部処理の流れを図示したフローチャートである。
【図６】本発明の実施例に係る端末の構造を図示した図面である。
【図７】本発明の実施例に係る端末の内部処理の流れを図示したフローチャートである。
【図８】本発明の実施例に係る端末が室内で登録する過程を図示した図面である。
【図９】本発明の実施例に係る端末が室外でＩＥＥＥ８０２.１６システムを利用して登録する過程を図示した図面である。
【図１０】本発明の実施例に係る端末が室内で発信する過程を図示した図面である。
【図１１】本発明の実施例に係る端末が室外でＩＥＥＥ８０２.１６システムを利用して発信する過程を図示した図面である。
【図１２】本発明の実施例に係る端末が室内で着信する過程を図示した図面である。
【図１３】本発明の実施例に係る端末が室外でＩＥＥＥ８０２.１６システムを利用して、アイドル(ＩＤＬＥ)モードでない場合、着信する過程を図示した図面である。
【図１４】本発明の実施例に係る端末が室外でＩＥＥＥ８０２.１６システムを利用して、アイドル(ＩＤＬＥ)モードである場合、着信する過程を図示した図面である。
【符号の説明】
【００６５】
１３０：ＩＰマルチメディアサブシステム核心網
２０２：ＩＥＥＥ８０２.１６システム接近網
２０４：ＡＣＲ
２０６〜２１０：ＲＡＳ
３０２：ＶｏＩＰゲートウェイ
３０６、３０８：端末
４００：無線電話信号処理部
４０２：ＳＩＰメッセージ処理部
４０４：インターワーキング機能部
４０６：ボコーダー処理部
【図１】
2007028618.tif 000003
【図２】
2007028618.tif 000004
【図３】
2007028618.tif 000005
【図４】
2007028618.tif 000006
【図５】
2007028618.tif 000007
【図６】
2007028618.tif 000008
【図７】
2007028618.tif 000009
【図８】
2007028618.tif 000010
【図９】
2007028618.tif 000011
【図１０】
2007028618.tif 000012
【図１１】
2007028618.tif 000013
【図１２】
2007028618.tif 000014
【図１３】
2007028618.tif 000015
【図１４】
2007028618.tif 000016